(57)【要約】【課題】ルアー芯体とルアー枠体により構成したルアー体を、取付部材と嵌込部材によりそれぞれ調整等を可能とし、ルアー芯体に対しルアー枠体を相対的に交換可能の組立式ルアーとする。【解決手段】左右略対象形状の半割体より構成され合体手段により左右一体となるルアー枠体と、半割体の割面に設けた溝部によりルアー枠体内に取外し可能に嵌込密着する釣糸連結部及び単数又は所要複数個の釣針着装部を設け、浮沈子等を取付可能としたルアー芯体とよりなり、半割体割面のルアー芯体を嵌込する溝部のルアー芯体釣糸連結部との対応部よりルアー体外部にかけ釣糸引出用溝を刻設し、またそのルアー体表面の釣糸引出口付近には釣糸挿通筒及びその挿通筒嵌込溝を設け、かつ浮沈子を嵌込密着する溝を単数又は複数個ルアー枠体割面に設け浮沈子を選択的に嵌込し組立可能とし、ルアー芯体に対し上記構成で外観の異なるルアー枠体と交換可能の組立式ルアーセットとする。【選択図】　図１
2004141100.tif 000002
【特許請求の範囲】
【請求項１】
種々の重量及び比重の浮沈子あるいは種々の蛍光体や発光体よりなる取付部材と、釣糸連結部および単数又は所要複数個の釣針着装部を設けた強質材よりなるルアー芯体とよりなり、ルアー芯体に対し取付部材をそれぞれのうち少なくとも一方に設けた嵌合部により選択的かつ交換可能に嵌合取付し組立可能のルアー体であることを特徴とする組立式ルアー。
【請求項２】
背部より腹部方向への縦割による左右略対象形状の半割体より構成され合体手段により左右一体となるルアー枠体と、前記半割体の割面に設けた溝部によりルアー枠体内に嵌込密着する請求項１記載のルアー芯体とよりなり、前記釣針着装部は前記ルアー枠体外部に突出するよう配置され、また前記半割体割面に前記ルアー枠体外部より前記ルアー芯体嵌込溝のルアー芯体釣糸連結部との対応部にかけ釣糸引込用溝を刻設し、前記釣糸引込用溝のルアー体表面の釣糸引出口付近には釣糸挿通筒及びその挿通筒嵌込溝を設け、かつ浮沈子を嵌込密着する単数又は複数個の溝をルアー枠体割面に設け種々の重量及び比重の浮沈子を選択的に嵌込し組立可能のルアー体としたことを特徴とする組立式ルアー。
【請求項３】
請求項２において、左右半割体を分解可能の合体手段により左右一体としてなるルアー枠体の半割体割面に設けた溝部に、ルアー芯体を取外し可能に嵌込密着し、それぞれ同様の構成を持つルアー芯体とルアー枠体とを相対的に交換し組立可能のルアー体であることを特徴とする組立式ルアー。
【発明の詳細な説明】
【０００１】
【発明が属する技術分野】
本発明は、魚等の釣りに用いる組立式ルアーに関する。
【０００２】
【従来の技術】
魚等の釣りに用いるルアーは釣ろうとする魚等に対して、その餌となる魚等を模した大きさ、形状、模様、色彩、素材等の外観、発光及び音波発生、釣糸操作による水中動作等によりあたかも生餌等であるかの如く興味的に振る舞い、その魚等を誘引しルアーに設けた釣針により釣り上げるものであり、また釣ろうとする魚等はその種類により興味的に誘引する餌となる魚等が異なるため、ルアーの外観、内部に組込む発光手段や音波発生手段、釣糸操作による音波の発生および水中動作に影響するルアーの機能的形状、重量、比重、重心位置、釣糸連結位置等に関し、従来より研究開発により種々のものが提案され釣手に広く提供され使用されている（例えば、特許文献１参照。）。
【０００３】
釣手は前記種々提供されているルアーより、釣ろうとする魚等にあわせその魚等を釣り上げるに適したルアーを選択し使用する際に、釣ろうとする魚等の種類のみならず、大きさ、生息深度、生息域、さらには釣場の天候、季節、時刻等の条件を経験等により考慮に入れた上、適宜選択し使用することにより更なる釣果をあげることが可能となるが、釣手の経験等により必要と判断したルアーが提供されていない場合があり妥協により種々提供されているルアーより選択し使用することとなるため、前記従来のルアーの改良により、釣手の判断により組立調整可能の、釣手の経験等を生かせるルアーも研究開発され知られている（例えば、特許文献２参照。）。
【０００４】
【特許文献１】
実開平３−０７９６５９号公報　（図１）
【特許文献２】
特開平７−２５５３２５号公報　（段落００１１〜段落００１６）
【０００５】
【発明が解決しようとする課題】
しかし、釣場や船上等の屋外における自然環境下では刻々と前記条件は変化するため、その変化に応じてルアーに要求される外観、素材、発光手段、音波発生手段、釣糸操作による水中動作に影響する本体形状、あるいは釣糸の連結位置等を適宜変更する必要があり、従来のルアーであれば、条件変化を予め想定した上で様々な条件に対し取り揃え、釣場に種々のルアーを多数携行する必要があり、更に釣ろうとする魚の種類が増せば釣場に携行すべきルアーの数は更に増すこととなるため、釣手の経済的負担と準備負担が大となる難点があった。
【０００６】
また組立調整可能のルアーにあっても、屋外における自然環境下の釣場において前記条件変化に応じて再度の調整を分解調整により行う必要があり、組立調整後においては分解調整による調整が不可能あるいはネジ止め等の必要性により釣場では困難である場合が多く、更に調整が可能の範囲は重量等内部の構成の調整に限られ、ルアーの外観、連結位置等の変更等は不可能であるため、前記条件の激変あるいは釣ろうとする魚の種類を変更する等によりルアーの外観、釣糸の連結位置の変更が必要となった場合は調整のみでは対応できず、予め釣場の環境変化あるいは釣ろうとする魚の種類の変更を想定した上でそれに応じ交換するための組立調整を済ませたルアーを多数取り揃え釣場に携行することとなる経済的負担と準備負担が大となる難点があった。
【０００７】
更にこれら難点と共に、釣手は釣場での条件変化等に応じたルアー交換の際に、不安定な足場、風のある環境下における釣糸の付替え作業を要するため、困難性を伴い時間と手間を要し、また即座に条件変化等に対応できない等の難点もあった。
【０００８】
そこで、本発明はこれら難点に鑑み、重量及び重心位置等内部の構成等の調整が可能で、かつ大きさ、色彩、素材、動作に大きく影響する釣糸の連結位置等の変更が可能であり、更にその調整変更に釣糸の付替えを要しない組立式ルアーを提供することを目的とする。
【０００９】
【課題を解決するための手段】
上記課題を達成するために本発明による組立式ルアーは、種々の重量及び比重の浮沈子あるいは種々の蛍光体や発光体よりよりなる取付部材と、釣糸連結部および単数又は所要複数個の釣針着装部を設けた強質材よりなるルアー芯体とより構成し、ルアー芯体に対し取付部材をそれぞれのうち少なくとも一方に設けた嵌合部により選択的かつ交換可能に嵌合取付し組立可能のルアー体とすることにより、簡易にルアー体の重量及び重心位置等を調整可能としてなる。
【００１０】上記課題を達成するために本発明による組立式ルアーは、背部より腹部方向への縦割による左右略対象形状の半割体より構成され合体手段により左右一体となるルアー枠体と、前記半割体の割面に設けた溝部によりルアー枠体内に嵌込密着する前記ルアー芯体とより構成し、前記釣針着装部は前記ルアー枠体外部に突出するよう配置され、また前記半割体割面に前記ルアー枠体外部より前記ルアー芯体嵌込溝のルアー芯体釣糸連結部との対応部にかけ釣糸引込用溝を刻設し、前記釣糸引込用溝のルアー体表面の釣糸引出口付近には釣糸挿通筒及びその挿通筒嵌込溝を設け、かつ浮沈子を嵌込密着する単数又は複数個の溝をルアー枠体割面に設け種々の重量及び比重の浮沈子を選択的に嵌込し組立可能のルアー体とすることにより、ルアー体の重量及び重心位置等を調整組立可能としてなる。
【００１１】上記課題を達成するために本発明による組立式ルアーは、前記ルアー枠体の左右半割体を分解可能の合体手段により左右一体とし、前記ルアー枠体の半割体割面に設けた溝部に前記ルアー芯体を取外し可能に嵌込密着することにより、簡易にルアー体の重量及び重心位置等を調整可能とし、又それぞれ同様の構成を持つルアー芯体とルアー枠体とをそれら外観、素材、重量、比重等に関わらず、また同様の構成で釣糸引出口位置の違うルアー枠体であっても、相対的に交換し組立可能のルアー体としてなることが望ましい。
【００１２】
【発明の実施の形態】
以下、請求項１乃至請求項３記載の発明を代表的な実施の形態により併せて説明する。
まず、本発明による組立式ルアーの概要を説明する（図１参照）。
ルアー体１０は魚等を模した略流線形状としてあり、ルアー芯体２０とルアー枠体３０および取付部材４０と嵌込部材５０とよりなる。
ルアー芯体２０は釣糸連結部２２および単数または所要複数個の釣針着装部２３、２３、・・・を設けた芯体胴部２１よりなり、芯体胴部２１は取付部材嵌合部４１を介し各種取付部材４０を選択的に嵌合取付可能とする。
ルアー枠体３０は合体手段により左右一体となる左右半割体３１、３１よりなり、左右半割体３１、３１の左右割面３２、３２に設けられた芯体嵌込溝３３によりルアー芯体２０をルアー枠体３０内に嵌入密着し、また嵌込部材５０を嵌込密着する単数または複数個の部材嵌込溝３４、３４、・・・を左右割面３２、３２に設け、嵌込部材５０を嵌込密着可能とする。
これら構成により、本発明による組立式ルアーは、取付部材４０および嵌込部材５０の交換により調整可能であると共に、ルアー芯体２０に対し外観等の異なるルアー枠体３０の相対的な交換を可能としている。
【００１３】
以下、本発明による組立式ルアーを詳細に説明する。
ルアー体１０は外形を中央部１１を膨出とし先端部１２および後端部１３を尖端とする略流線形状としてあり、ルアー体１０にはルアー枠体３０を左右半割体３１、３１とする割線１４上に釣糸引込口１５および単数または所要複数個のルアー枠体３０の内部に嵌込密着したルアー芯体２０の釣針着装部２３、２３、・・・が突出する釣針着装部突口１６、１６、・・・が設けられている（図２参照）。なお、先端部１２付近には突起部１７が設けられているが、突起部１７の形状は本発明の技術的範囲に関せず、用途により様々な形状および材質の突起部（例えば、図４参照）を設け、或いは突起部１７を設けず（図６参照）効果的に実施されることが好ましい。
【００１４】
ルアー芯体２０は釣糸連結部２２および単数または所要複数個の釣針着装部２３、２３、・・・を設けた強質の合成樹脂または金属により形成された芯体胴部２１と芯体胴部２１よりなり、芯体胴部２１には取付部材嵌合部４１を介し各種取付部材４０を選択的に嵌合取付可能とする（図３参照）。取付部材４０は種々の重量または比重の錘体または浮体よりなる浮沈子あるいは種々の蛍光体や発光体よりよりなる。また、本実施例において取付部材嵌合部４１はルアー芯体２０および取付部材４０双方に設けられているが、ルアー芯体２０または取付部材４０のうち少なくとも一方に設けられていればよい（図示省略）。
なお、釣糸連結部２２はルアー芯体に釣糸（図示省略）を容易に連結する為、釣糸連結部２２に釣糸を挿通し結着しあるいは釣糸先端に設けた連結部（図示省略）により連結する釣糸連結環２４を設けているが、釣糸連結環２４を設けず釣糸連結部２２に穿設した釣糸挿通孔により釣糸を挿通し結着し連結してもよい（図示省略）。
また、釣針着装部２３、２３・・・はルアー芯体に釣針（図示省略）を揺動可能に着装する為、釣針を棒状の金属を外形環状に形成した連結環（図示省略）を介し着装する釣針着装環２５を設けているが、イカ釣用ルアーのように釣針の揺動が不要である場合には釣針着装環２５を設けず釣針着装部２３に直接に釣針を着装してもよい（例えば、図４参照）。
【００１５】
ルアー枠体３０はルアー体１０の長さ方向による背部より腹部への縦割りにより左右略対象形状とした合成樹脂または木材により形成された左右半割体３１、３１よりなり、左右半割体３１、３１は左右割面３２、３２を対向させ密着させ合体手段により合体し一体となる。合体手段としては左右割面３２、３２のそれぞれの周縁の対応する個所に所要複数個設けた爪、および前記爪掛合溝よりなる掛合部３５を掛合させ、分解可能に合体し一体となる手段がとれる（図示省略）、前記掛合部３５のうち一箇所を蝶番３６に置換えし左右半割体を連結し、ルアー枠体を開閉自在とすることが使用上望ましい（図５参照）。また、分解可能の合体手段として掛合部３５を設けず、あるいは掛号部３５による合体手段と共に螺子による締結等の合体手段により左右半割体３１、３１を合体する手段も取り得る（図示省略）。
左右割面３２、３３に設けた芯体嵌込溝３３、３３は、芯体胴部２１に取付部材４０を取付したルアー芯体２０を、ルアー体１０の左右の重心を考慮し左右割面３２、３２双方に設けルアー枠体３０内に嵌込密着することが望ましいが、少なくとも一方に設けられていればよく左右割面３２、３２のうち一方に設けた芯体嵌込溝３５によりルアー枠体３０内に嵌込密着してもよい（図示省略）。なお、割面３２に設ける芯体嵌込溝３３は、嵌込するルアー芯体２０の釣針連結部２２をルアー体１０外部に突出するように配置されることが望ましい。
また、種々の重量または比重の錘体や浮体よりなる浮沈子あるいは種々の蛍光体や発光体よりよりなる嵌込部材５０を嵌込密着する単数または複数個の部材嵌込溝３４、３４、・・・を左右割面３２、３２に設け、嵌込部材５０を嵌込密着可能とする。
【００１６】
左右半割体３１、３１の左右割面３２、３２のうち少なくとも一方には、ルアー体１０外部の釣糸（図示省略）を釣糸引込口１５より釣糸をルアー体１０内部に引込み、ルアー枠体３０内部に嵌込密着したルアー芯体２０の釣糸連結部に連結するための釣糸の経路となる釣糸引込溝３７が刻設されており、釣糸の左右半割体３１、３１の合体時における左右割面３２、３２による圧迫および接触よる損傷を防ぐうえで有効である。
また、釣糸をルアー体１０内部に釣糸引込口１５より引込む際に釣糸を釣糸挿通筒２６に釣糸を挿通し、左右半割体３１、３１の左右割面３２、３２のうち少なくとも一方に設けた挿通筒嵌込溝３８により釣糸を挿通した釣糸挿通筒２６嵌込保持し、ルアー枠体３０内部に嵌込密着したルアー芯体２０の釣糸連結部に連結することにより、釣糸の左右半割体３１、３１の合体時に釣糸引込溝３７を脱し左右割面３２、３２への挟込による損傷を防ぐうえで大変有効である。
なお、ルアー体１０の釣糸引込口１５は図６のように割線１４上の先端部１２付近のみならず割線上の背部あるいはその他割線上に設け、その釣糸引込口１５の位置にあわせ釣糸引込溝および挿通筒嵌込溝を設けることもできる（図６参照）。
【００１７】
【発明の効果】
本発明による組立式ルアーは、ルアー体を請求項１に記載するように種々の重量及び比重の浮沈子あるいは種々の蛍光体や発光体よりよりなる取付部材と、釣糸連結部および単数又は所要複数個の釣針着装部を設けた強質材よりなるルアー芯体とより構成し、ルアー芯体に対し取付部材をそれぞれのうち少なくとも一方に設けた嵌合部により選択的かつ交換可能に嵌合取付し組立可能のルアー体とすることにより、簡易にルアー体の重量及び重心位置等を速やかに調整可能とし蛍光体や発光体を取付け可能とし、釣場等の条件変化に応じ迅速に釣ろうとする魚等を効果的に誘引できるような調整を可能とすることができる。
【００１８】また、本発明による組立式ルアーは、ルアー体を請求項２に記載するように背部より腹部方向への縦割による左右略対象形状の半割体より構成され合体手段により左右一体となるルアー枠体と、前記半割体の割面に設けた溝部によりルアー枠体内に嵌込密着する前記ルアー芯体とより構成し、さらに浮沈子を嵌込密着する単数又は複数個の溝をルアー枠体割面に設け種々の重量及び比重の浮沈子を選択的に嵌込し組立可能のルアー体とすることにより、ルアー体の重量及び重心位置等を調整可能とし蛍光体や発光体を組込み可能とし、釣場等の条件変化に応じ釣ろうとする魚等を効果的に誘引できるように調整を可能とすると共に、ルアー枠体の外観や素材または釣糸の引込み位置等の違いがあっても、同じルアー芯体を嵌込し、組立可能とすることができる。
また、前記半割体割面に前記ルアー枠体外部より前記ルアー芯体嵌込溝のルアー芯体釣糸連結部との対応部にかけ釣糸引込用溝を刻設し、前記釣糸引込用溝のルアー体表面の釣糸引出口付近には釣糸挿通筒及びその挿通筒嵌込溝を設ることにより、ルアー体のルアー枠体を左右の半割体の合体により一体とすることにより生ずる釣糸の左右割面への挟込みによる釣糸の損傷を防ぐことができる。
【００１９】さらに、本発明による組立式ルアーは、請求項２によるルアー枠体の左右半割体を請求項３に記載するように分解可能の合体手段により左右一体とし、前記ルアー枠体の半割体割面に設けた溝部に前記ルアー芯体を取外し可能に嵌込密着することにより、簡易にルアー体の重量及び重心位置等を速やか調整可能であると共に、それぞれ同様の構成を持つルアー芯体とルアー枠体とをそれら外観、素材、重量、比重等に関わらず、同様の構成で釣糸引出口位置の違うルアー枠体であっても相対的に交換し組立可能となり、複数の外観等の異なるルアーを必要とする際に複数のルアー枠体に対し一のルアー芯体があればよく、釣手の準備の負担および携行による負担が軽減される。また、ルアー枠体の交換に釣糸の付替え作業を要しないため迅速に行うことができる。
【図面の簡単な説明】
【図１】組立式ルアーのルアー体の組立概要を示す分解斜視図である。
【図２】組立式ルアーのルアー体の斜視図である。
【図３】組立式ルアーのルアー芯体および取付部材の取付概要を示す側面図である。
【図４】組立式ルアーの釣針固定によるルアー体の斜視図である。
【図５】組立式ルアーのルアー枠体の合体手段を示す分解斜視図である。
【図６】組立式ルアーの釣糸引込口を背部にもつルアー体の斜視図である。
【符号の説明】
１０　ルアー体
１１　中央部
１２　先端部
１３　後端部
１４　割線
１５　釣糸引込口
１６　釣針着装部突口
１７　突起部
２０　ルアー芯体
２１　芯体胴部
２２　釣糸連結部
２３　釣針着装部
２４　釣糸連結環
２５　釣針着装環
２６　釣糸挿通筒
３０　ルアー枠体
３１　半割体
３２　割面
３３　芯体嵌込溝
３４　部材嵌込溝
３５　掛合部
３６　蝶番
３７　釣糸引込溝
３８　挿通筒嵌込溝
４０　取付部材
４１　取付部材嵌合部
５０　嵌込部材
【図１】
2004141100.tif 000003
【図２】
2004141100.tif 000004
【図３】
2004141100.tif 000005
【図４】
2004141100.tif 000006
【図５】
2004141100.tif 000007
【図６】
2004141100.tif 000008